(57)【要約】      （修正有）【課題】多様に変化可能な頭部装身装飾品を提供する。【解決手段】本考案に係る多様に変化可能な頭部装身装飾品は、装身部材１と装飾品部材２とを備え、装身部材１上に少なくとも装飾品部材２が結合され、装身部材１は、カチューシャのようなアーチ型弾性体１１と、外布層１２とを含み、装飾品部材２は、組付接合部２１と、組付接合部２１の頂面に設けられた装飾品部２３とを含み、組付接合部２１の底面に弾性挟み片が設けられ、弾性挟み片を介して少なくとも１個の組付接合部２１を装身部材１の頂縁に挟持固定して位置付けすることができ、装飾品部２３と組付接合部２１との間に、装飾品部２３を回動させて角度調整可能とする枢支接合部２４が設けられる。【選択図】図１
0003220940.tif 000002
【実用新案登録請求の範囲】
【請求項１】
装身部材と、装飾品部材とを備える多様に変化可能な頭部装身装飾品であって、
前記装身部材上に少なくとも１個の前記装飾品部材が結合され、前記装身部材は、カチューシャのようなアーチ型弾性体と、外布層とを含み、前記装飾品部材は、組付接合部と、前記組付接合部の頂面に設けられた装飾品部とを含み、前記組付接合部の底面に結合部が設けられ、前記結合部を介して少なくとも１個の前記装飾品部材の前記組付接合部を前記装身部材の頂縁に結合して位置付けすることを特徴とする、多様に変化可能な頭部装身装飾品。
【請求項２】
前記装飾品部と前記組付接合部との間に、前記装飾品部を回動させて角度調整可能とする枢支接合部が設けられることを特徴とする、請求項１に記載の多様に変化可能な頭部装身装飾品。
【請求項３】
前記組付接合部の底面に設けられた前記結合部は、弾性挟み片であることを特徴とする、請求項１に記載の多様に変化可能な頭部装身装飾品。
【請求項４】
前記組付接合部に蝶結び形状の前記装飾品部が設けられると共に、前記結合部に弾性バンドの前記装身部材が組み合わせられ、弾性バンドの前記装身部材により頭部または腕部に巻き付けられることを特徴とする、請求項１に記載の多様に変化可能な頭部装身装飾品。
【請求項５】
前記組付接合部上に蝙蝠図形の前記装飾品部が設けられると共に、前記結合部に弾性バンド部材が内設されてなる弾性布製バンド形態の前記装身部材が組み合わせられ、頭部または腕部に巻き付けられることを特徴とする、請求項１に記載の多様に変化可能な頭部装身装飾品。
【請求項６】
前記組付接合部に別種の異なる形状の前記装飾品部が設けられると共に、前記組付接合部の底面にＴ字形結合部が形成されて、弾性髪挟み片の前記装身部材の一端に長孔が設けられ、前記長孔にＴ字形結合部を入れ込んで組み合わせた格好で、弾性髪挟み片の前記装身部材または前記組付接合部を９０度回転させると、前記組付接合部と弾性髪挟み片の前記装身部材とを一体に組み合わせることによって、頭髪上に挟み込んで付けられることを特徴とする、請求項１に記載の多様に変化可能な頭部装身装飾品。
【請求項７】
装身部材と、装飾品部材とを備える多様に変化可能な頭部装身装飾品であって、
前記装身部材上に少なくとも１個の前記装飾品部材が結合され、前記装身部材は、カチューシャのようなアーチ型弾性体であり、前記装飾品部材は、組付接合部と、前記組付接合部の頂面に設けられた装飾品部とを含み、前記組付接合部の底面に設けられたクリップ接合部により、前記装身部材上にクリップ接合して組み合わせられ、また、前記装飾品部と前記組付接合部との間に、上方の前記装飾品部を回動させて角度調整可能とする枢支接合部が設けられることを特徴とする、多様に変化可能な頭部装身装飾品。
【請求項８】
アーチ型を呈する装身部材と、装飾品部とを備える多様に変化可能な頭部装身装飾品であって、
前記装身部材の両端にそれぞれ挟み溝を具備する弾性挟持固定部材が設けられると共に、前記装身部材の上方に少なくとも１個の前記装飾品部が設けられ、前記装身部材の両側端に設けられた前記弾性挟持固定部材により、それぞれ帽子の両側下縁に挟装されることで、装飾品を帽子の上方に組み合わせることを特徴とする、多様に変化可能な頭部装身装飾品。
【請求項９】
２個の前記装身部材を交差させて組み合わせ、同様に各前記装身部材の両側端に設けられた前記弾性挟持固定部材により、それぞれ帽子の両側下縁に挟装されることを特徴とする、請求項８に記載の多様に変化可能な頭部装身装飾品。
【請求項１０】
前記装身部材は、プラスチック材料、金属材料及び弾性バンド材料のいずれか１種から作製されてなることを特徴とする、請求項８に記載の多様に変化可能な頭部装身装飾品。
【請求項１１】
前記装身部材を左右両部分に分けて左右２つの前記装身部材を形成し、左右の前記装身部材の両底端に設けられた前記挟み溝を具備する前記弾性挟持固定部材により、それぞれクラウン無しのサンバイザーの鉢巻状枠の両側に挟持固定されるか、あるいは眼鏡の眼鏡フレームの両側に挟持固定されることを特徴とする、請求項８に記載の多様に変化可能な頭部装身装飾品。
【請求項１２】
左右の前記装身部材とその底端の前記弾性挟持固定部材との間に、いずれも前記装身部材を回動させて角度調整可能とする枢支接合部が設けられることを特徴とする、請求項１１に記載の多様に変化可能な頭部装身装飾品。
【請求項１３】
左右の前記装身部材の両底端に挟み片を具備する前記弾性挟持固定部材が設けられ、前記弾性挟持固定部材の前記挟み片の頂端に、クラウン無しのサンバイザーの鉢巻状枠または眼鏡の眼鏡フレームの両側に強固に挟持固定される挟みクリップが設けられることを特徴とする、請求項１１に記載の多様に変化可能な頭部装身装飾品。
【請求項１４】
左右の前記装身部材の前記枢支接合部の上方に、伸縮可能な装身部材が形成され、前記装身部材は、レール溝を具備するベースプレートと、前記ベースプレートの前記レール溝内に挿嵌される伸縮部材とを含み、前記装飾品部は、前記伸縮部材上に設けられることにより、前記伸縮部材を前記ベースプレートから引き出すか、あるいは収め入れることで、伸縮の目的を達成することを特徴とする、請求項１２に記載の多様に変化可能な頭部装身装飾品。
【請求項１５】
左右の前記装身部材の底端の前記弾性挟持固定部材は、その前記挟み溝の方向を下方向きに設置し、同様にクラウン無しのサンバイザーの鉢巻状枠の両側または眼鏡の眼鏡フレームの両側に挟持固定されることを特徴とする、請求項１１に記載の多様に変化可能な頭部装身装飾品。
【請求項１６】
左右の前記装身部材の底端の前記弾性挟持固定部材の底部に耳掛けが設けられ、眼鏡の眼鏡フレームの両側に挟持固定された際、耳掛けを耳部上に引掛けることで、装身状態をより安定にする目的を達成することを特徴とする、請求項１５に記載の多様に変化可能な頭部装身装飾品。
【考案の詳細な説明】
【技術分野】
【０００１】
本考案は、多様に変化可能な頭部装身装飾品に関し、特に、頭部に装着されると共に、様々なイベント、行事及び祝祭の意味合いに応じてその特性に合致した装飾品や装身具を取り替えることができ、多種多様に変化できる頭部装身装飾品の設計が達成されるものに関する。
【背景技術】
【０００２】
周知の通り、現在、例えば、スポーツ競技観戦中、クリスマス、サンクスギビングデーやハロウィンなどのシーズン、誕生日パーティや慶事の日など、こうした祭事を祝う際に開催する多くのイベントにおいて、大抵の人々は、当該スポーツや祝日の意味合いなどに相応しい装飾品を装着する場合がほとんどであり、風変わりな着飾りを自分の身に付けることで、興味関心を高めることができるほか、歓喜の雰囲気を盛り上げることができる。
【考案の概要】
【考案が解決しようとする課題】
【０００３】
ところで、伝統的な着飾る装飾品の大半は、仮装カツラやヘッドスカーフなどの装飾品を頭頂または頭部に装着するものであり、固定式装飾品が設けられたカチューシャ型装飾品を装着することで、所望の着飾りが達成される。しかし、従来の仮装カツラは高価格であることに加え、入手が困難である欠点がある一方、ヘッドスカーフは華麗さが足りない場合があり、加えて使用されているカチューシャ型装飾品は、いずれも単一形態の装飾品に過ぎない。また、各種の異なるスポーツ競技や祝日の場面によって、それぞれの意味合いが異なってくるたびに、各種の異なる、代表的な装飾品を具備するカチューシャ型装飾品を購入する必要が生じるため、金銭の出費が非常に嵩み、またそれらを収蔵する比較的広いスペースが必要になる。
【課題を解決するための手段】
【０００４】
本考案に係る多様に変化可能な頭部装身装飾品は、装身部材と装飾品部材とを備え、装身部材上に少なくとも装飾品部材が結合され、前記装身部材は、カチューシャのようなアーチ型弾性体と、外布層とを含み、前記装飾品部材は、装飾品部と、組付接合部とを含み、装飾品部は、組付接合部の頂面に設けられ、組付接合部の底面に弾性挟み片が設けられ、弾性挟み片を介して少なくとも１個の組付接合部を装身部材の頂縁に挟持固定して位置付けすることができ、その内、装飾品部と組付接合部との間に、装飾品部を回動させて角度調整可能とする枢支接合部が設けられる。
【考案の効果】
【０００５】
本考案の主要な目的は、組付接合部の底面に設けられた弾性挟み片を介して少なくとも１個の装飾品部材を装身部材の頂縁に挟持固定して位置付けすることができることから、多様な変化を創出することができ、当該スポーツや祝日の意味合いなどに相応しく装着することのできる、頭部装身装飾品を提供することである。
【０００６】
本考案の副次的な目的は、主に、装身部材の両側端に設けられた弾性挟持固定部材により、それぞれ帽子、クラウン無しのサンバイザー及び眼鏡の両側に挟装されることで、物品の実用性を大幅に向上させることができる、頭部装身装飾品を提供することである。
【図面の簡単な説明】
【０００７】
【図１】本考案に挙げられたものの中の一つの好適な実施例を示す分解斜視図である。
【図２】本考案の組合せ状態を示す一部を断面した側面図である。
【図３】図１に示される構造において、組付接合部に別種の異なる形状の装飾品部が設けられた実施例を示す分解斜視図である。
【図３Ａ】図１に示される構造において、組付接合部に別種の異なる形状の装飾品部が設けられると共に、結合部に弾性バンドの装身部材が組み合わせられた実施例を示す分解斜視図である。
【図３Ｂ】図３Ａに示される構造を組み合わせた実施例を示す斜視図である。
【図３Ｃ】図３Ａに示される構造において、組付接合部に別種の異なる形状の装飾品部が設けられると共に、結合部に弾性布製バンドの装身部材が組み合わせられた実施例を示す分解斜視図である。
【図３Ｄ】図３Ｃに示される構造を組み合わせた実施例を示す斜視図である。
【図３Ｅ】図３Ａに示される構造において、組付接合部に別種の異なる形状の装飾品部が設けられると共に、組付接合部の底面にＴ字形結合部が形成されて、弾性髪挟み片の装身部材と組み合わせられた実施例を示す分解斜視図である。
【図３Ｆ】図３Ｅに示される構造を組み合わせた実施例を示す斜視図である。
【図４】本考案の第２実施例を示す分解斜視図である。
【図５】図４に示される構造を組み合わせた状態を示す一部を断面にした側面図である。
【図６】本考案の第３実施例を示す分解斜視図である。
【図７】図６に示される構造の組合せ断面図である。
【図８】２個の図６に示される装身部材を交差させて結合した実施例を示す分解斜視図である。
【図９】図８に示される構造は、帽子と組み合わせられた実施例を示す斜視図である。
【図１０】本考案において、図６に示される構造の装身部材を左右両部分に切り分けた実施例を示す分解斜視図である。
【図１１】図１０に示される構造の組合せ斜視図である。
【図１２】図１０に示される構造を眼鏡に組み合わせた際の実施例を示す斜視図である。
【図１３】本考案において、装身部材の両底端に挟み口を具備する弾性挟持固定部材が設けられた実施例を示す斜視図である。
【図１４】本考案の別種の伸縮可能な装身部材の実施例を示す斜視図である。
【図１５】図１０に示される構造における弾性挟持固定部材の挟み口を下向きに設置した実施例を示す分解斜視図である。
【図１６】図１５に示される構造の組合せ斜視図である。
【図１７】図１５に示される構造を眼鏡に組み合わせた際の実施例を示す斜視図である。
【図１８】図１５に示される弾性挟持固定部材の下方に耳掛けが付設された実施例を示す斜視図である。
【図１９】本考案に挙げられたものの中のある種の球技スポーツ観戦時に使用できる装飾品の実施例を示す図である。
【図２０】本考案に挙げられたものの中のある種の球技スポーツ観戦時に使用できる装飾品の実施例を示す図である。
【図２１】本考案に挙げられたものの中のある種の球技スポーツ観戦時に使用できる装飾品の実施例を示す図である。
【考案を実施するための形態】
【実施例１】
【０００８】
図１と図２を参照して、図示のように、本考案に係る多様に変化可能な頭部装身装飾品は、装身部材（１）と、装飾品部材（２）とを備え、装身部材（１）上に少なくとも１個の装飾品部材（２）が結合され、その内、前記装身部材（１）は、カチューシャのようなアーチ型弾性体（１１）と、外布層（１２）とを含み、前記装飾品部材（２）は、装飾品部（２３）と、組付接合部（２１）とを含み、装飾品部（２３）は、組付接合部（２１）の頂面に設けられ、組付接合部（２１）の底面に結合部（２２）が設けられ、結合部（２２）としては、弾性挟み片であってもよく、結合部（２２）を介して少なくとも１個の装飾品部材（２）の組付接合部（２１）を装身部材（１）の頂縁に結合して位置付けすることができ、異なる形状の装飾品部材（２）は、装身部材（１）上に結合することができ（図３参照）、また、装飾品部（２３）と組付接合部（２１）との間に、装飾品部（２３）を回動させて角度調整可能とする枢支接合部（２４）が設けられる。
【０００９】
図３Ａと図３Ｂを参照して、図示のように、図１に示される構造において、組付接合部（２１）に別種の異なる形状の装飾品部（２３’）が設けられると共に、結合部（２２）に弾性バンドの装身部材（１’）が組み合わせられた実施例では、前記装飾品部（２３’）は、蝶結び形状に形成され、前記弾性バンドの装身部材（１’）が頭部または腕部に巻き付けられ、組付接合部（２１）上に蝙蝠図形の装飾品部（２３’  ’）が設けられてもよいと共に、結合部（２２）に弾性バンド部材（１１’’）が内設されてなる弾性布製バンド形態の装身部材（１’’）が組み合わせられ、頭部または腕部に巻き付けられてもよい（図３Ｃと図３Ｄを参照）。
【００１０】
図３Ｅと図３Ｆを参照して、図示のように、図３Ａに示される構造において、組付接合部（２１）に別種の異なる形状の装飾品部（２３）が設けられると共に、組付接合部（２１）の底面にＴ字形結合部（２２１）が形成されて、弾性髪挟み片の装身部材（１’  ’  ’）の一端に長孔（１１’  ’  ’）が設けられ、前記長孔（１１’  ’  ’）にＴ字形結合部（２２１）を入れ込んで組み合わせた格好で、弾性髪挟み片の装身部材（１’  ’  ’）または組付接合部（２１）を９０度回転させると、組付接合部（２１）と弾性髪挟み片の装身部材（１’  ’  ’）と、を一体に組み合わせることによって、頭髪上に挟み込んで付けられる。
【実施例２】
【００１１】
次に、図４と図５に示される本考案の第２実施例を参照して、図示のように主に、装身部材（１）と、装飾品部材（３）とを備え、装身部材（１）上に少なくとも１個の装飾品部材（３）が結合され、前記装身部材（１）は、カチューシャのようなアーチ型弾性体（１１）であり、前記装飾品部材（３）は、装飾品部（３３）と、組付接合部（３１）とを含み、装飾品部（３３）は、組付接合部（３１）の頂面に設けられ、組付接合部（３１）の底面に設けられたクリップ接合部（３２）により、装身部材（１）上にクリップ接合して組み合わせられ、また、装飾品部（３３）と組付接合部（３１）との間に、上方の装飾品部（３３）を回動させて角度調整可能とする枢支接合部（３４）が設けられる。
【実施例３】
【００１２】
図６と図７に示される本考案の第３実施例を参照して、図示のように主に、帽子（５）の上方に装飾品を組み合わせて取り付けのできる実施例が示されており、それは、装身部材（４）の両端にそれぞれ挟み溝（４１１）を具備する弾性挟持固定部材（４１）が設けられると共に、装身部材（４）の上方に少なくとも１個の装飾品部（４２）が設けられ、装身部材（４）の両側端に設けられた弾性挟持固定部材（４１）により、それぞれ帽子（５）の両側下縁（５１）に挟装されることで、装飾品を帽子（５）の上方に組み合わせることができ、かつ２個の装身部材（４）を交差させて組み合わせこともでき、同様に各装身部材（４）の両側端に設けられた弾性挟持固定部材（４１）により、それぞれ帽子（５）の両側下縁（５１）に挟装される（図８と図９を参照）。
【００１３】
前記装身部材（４）は、アーチ型を呈し、前記装身部材（４）は、プラスチック及び金属の弾性材料のいずれか１種から作製されていてもよく、あるいは弾性バンド材料から作製されていてもよい。
【００１４】
次に、図１０と図１１を参照して、図示のように、前述の装身部材（４）を左右両部分に分けて左右２つの装身部材（４，４）を形成することができ、左、右の装身部材（４，４）の両底端に設けられた挟み溝（４１１）を具備する弾性挟持固定部材（４１）により、それぞれクラウン無しのサンバイザー（６）の鉢巻状枠（６１）の両側に挟持固定されるか、あるいは眼鏡（７）の眼鏡フレーム（７１）の両側に挟持固定される（図１２参照）。また、左、右の装身部材（４，４）とその底端の弾性挟持固定部材（４１）との間に、いずれも装身部材（４）を回動させて角度調整可能とする枢支接合部（４３）が設けられる。
【００１５】
また、左、右の装身部材（４，４）の両底端に挟み口（４４１）を具備する弾性挟持固定部材（４４）が設けられてもよく、弾性挟持固定部材（４４）の挟み片（４４２）の頂端に、クラウン無しのサンバイザー（６）の鉢巻状枠（６１）または眼鏡（７）の眼鏡フレーム（７１）の両側に強固に挟持固定される挟みクリップ（４４３）が設けられる（図１３参照）。また、枢支接合部（４３）の上方に、伸縮可能な装身部材（４’）が形成され、前記装身部材（４’）は、レール溝（４５１’）を具備するベースプレート（４５’）と、ベースプレート（４５’）のレール溝（４５１’）内に挿嵌される伸縮部材（４５２’）とを含み、装飾品部（４２’）は、伸縮部材（４５２’）上に設けられることにより、伸縮部材（４５２’）をベースプレート（４５’）から引き出すか、あるいは収め入れることで、伸縮の目的を達成する（図１４参照）。
【００１６】
このほか、左、右の装身部材（４，４）の底端の弾性挟持固定部材（４１）は、その挟み溝（４１１）を下方向きに設置し、同様にクラウン無しのサンバイザー（６）の鉢巻状枠（６１）の両側または眼鏡（７）の眼鏡フレーム（７１）の両側に挟持固定される（図１５、図１６と図１７を参照）と同時に、左、右の装身部材（４，４）の底端の弾性挟持固定部材（４１）の底部に耳掛け（４１２）が設けられ、眼鏡（７）の眼鏡フレーム（７１）の両側に挟持固定された際、耳掛け（４１２）を耳部上に引掛けることで、装身状態をより安定にする目的を達成する（図１８参照）。
【００１７】
前述の図３に示すように、本考案におけるある種の装身部材（１）上に異なる形状の装飾品部材（２）を結合することができる実施例が示されており、本考案に再び挙げられたものの中の球技スポーツ観戦時に使用できる装飾品の実施例において、前記装飾品部材（２）は、「ＡＮＧＥＬＳ」やその他の文字図柄を表示する装飾品部（２３１）と、組付接合部（２１）とを含み、組付接合部（２１）の底面に結合部（２２）が設けられるか（図１９参照）、あるいは図６と図７に示される装身部材（４）の上方に少なくとも１つの「ＬＡ」やその他の文字図柄を表示する装飾品部（４２１）が結合されるか（図２０参照）、もしくは図１０と図１１に示される左右２つの装身部材（４，４）上に「ＮＹ」やその他の文字図柄を表示する装飾品部（４２１）が結合される（図２１参照）。
【００１８】
上記を総合すると、本考案は、特に、頭部に装着されると共に、様々なイベント、行事及び祝祭の意味合いに応じてその特性に合致した装飾品や装身具を取り替えることができ、多種多様に変化できる頭部装身装飾品の設計が達成されるものに関する。
【符号の説明】
【００１９】
１          装身部材
１’        装身部材
１’  ’    装身部材
１’  ’  ’装身部材
４          装身部材
４’        装身部材
１１        アーチ型弾性体
１１’  ’  弾性バンド部材
１１’  ’  ’長孔
１２        外布層
２，３      装飾品部材
２１，３１  組付接合部
２２，２２１結合部
２３      装飾品部
２３’    装飾品部
２３’  ’装飾品部
２３１    装飾品部
３３      装飾品部
４２      装飾品部
４２’    装飾品部
４２１    装飾品部
２４，３４，４３枢支接合部
３２      クリップ接合部
４１，４４  弾性挟持固定部材
４１１    挟み溝
４１２    耳掛け
４４１    挟み口
４４２    挟み片
４４      挟みクリップ
４５’    ベースプレート
４５１’  レール溝
４５２’  伸縮部材
５        帽子
５１      下縁
６        サンバイザー
６１      鉢巻状枠
７        眼鏡
７１      眼鏡フレーム
【図１】
0003220940.tif 000003
【図２】
0003220940.tif 000004
【図３】
0003220940.tif 000005
【図３Ａ】
0003220940.tif 000006
【図３Ｂ】
0003220940.tif 000007
【図３Ｃ】
0003220940.tif 000008
【図３Ｄ】
0003220940.tif 000009
【図３Ｅ】
0003220940.tif 000010
【図３Ｆ】
0003220940.tif 000011
【図４】
0003220940.tif 000012
【図５】
0003220940.tif 000013
【図６】
0003220940.tif 000014
【図７】
0003220940.tif 000015
【図８】
0003220940.tif 000016
【図９】
0003220940.tif 000017
【図１０】
0003220940.tif 000018
【図１１】
0003220940.tif 000019
【図１２】
0003220940.tif 000020
【図１３】
0003220940.tif 000021
【図１４】
0003220940.tif 000022
【図１５】
0003220940.tif 000023
【図１６】
0003220940.tif 000024
【図１７】
0003220940.tif 000025
【図１８】
0003220940.tif 000026
【図１９】
0003220940.tif 000027
【図２０】
0003220940.tif 000028
【図２１】
0003220940.tif 000029